(57)【要約】【課題】流れのある川において、引き舟から受ける釣り人の負荷を軽減する。【解決手段】魚釣り用引き舟１０の前後方向に延伸する中央ライン又はその近くのラインを含む上下方向の面で切断した縦断面において、引き舟前端部の面取りラインＭＬと引き舟の上面ラインＪＭＬとの交点を上面先端Ｐ１とし、引き舟を流速が１．０ｍ／ｓの流水に浮かべた場合に、水面が前記上面先端よりも下方に位置し、前部から引き舟上面に水が流れないように構成する。【選択図】        図３
2005210983.tif 000002
【特許請求の範囲】
【請求項１】
魚釣り用引き舟の前後方向に延伸する中央ライン又はその近くのラインを含む上下方向の面で切断した縦断面において、引き舟前端部の面取りラインと引き舟の上面ラインとの交点を上面先端とし、引き舟を流速が１．０ｍ／ｓの流水に浮かべた場合に、水面が前記上面先端よりも下方に位置し、前部から引き舟上面に水が流れないことを特徴とする魚釣り用引き舟。
【請求項２】
引き舟を静水に浮かべた場合に、前記上面先端と水面との距離が１０ｍｍ以上である請求項１記載の魚釣り用引き舟。
【請求項３】
魚釣り用引き舟の前後方向に延伸する中央ライン又はその近くのラインを含む上下方向の面で切断した縦断面において、引き舟後端部の面取りラインと引き舟の上面ラインとの交点を上面後端とし、引き舟を流速が１．０ｍ／ｓの流水に浮かべた場合に、水面が前記上面後端よりも下方に位置し、引き舟上面に水が流れない請求項１又は２記載の魚釣り用引き舟。
【請求項４】
前記上面ラインか側面視による舟縁ラインが、前後方向の途中位置から前側において、その後方に対して前上がりの傾斜になっている請求項１〜３の何れか１記載の魚釣り用引き舟。
【請求項５】
前記縦断面において、引き舟後端部の面取りラインと前記上面ラインとの交点を上面後端とし、該上面後端と前記上面先端とを結ぶ直線が、引き舟を静水に浮かべた際の水面と２度以上の角度を成すように上面先端側が高い請求項１〜３の何れか１記載の魚釣り用引き舟。
【請求項６】
前記縦断面において、引き舟後端部の面取りラインと前記上面ラインとの交点を上面後端とし、該上面後端と前記上面先端とを結ぶ直線が、引き舟を水平面を有するテーブルに載置した場合に該水平面と２度以上の角度を成すように上面先端側が高い請求項１〜３の何れか１記載の魚釣り用引き舟。
【請求項７】
舟の前部領域の舟縁が外方向に広がっている請求項１〜３の何れか１記載の魚釣り用引き舟。
【発明の詳細な説明】
【技術分野】
【０００１】
本発明は鮎釣り等に使用され、釣った獲物を入れて生かしておく、所謂、引き舟に関する。
【背景技術】
【０００２】
従来、おとり鮎用の引き舟としては、例えば下記特許文献１に開示があり、流れのある水に浮かべた際に、引き舟の上面に水を流して舟上部の温度上昇を防止するように工夫した引き舟が開示されている。その他、特許文献２にも引き舟の例が開示されている。こうした引き舟は流れのある川に浮かべ、ロープによって釣り人の腰に連結し、その状態で釣りを行う。
【特許文献１】特開平７−９５８４０号公報
【特許文献２】実開昭６１−１９７８６２号公報
【発明の開示】
【発明が解決しようとする課題】
【０００３】
従って、釣り人には引き舟を介した水流抵抗の負荷がかかり、釣場の状況によっては釣り人に大きな負担となる。この負担の軽減が釣りの快適さや釣りの成果に大きく影響する。
依って解決しようとする課題は、流れのある川において、引き舟から受ける釣り人の負荷を軽減することである。
【課題を解決するための手段】
【０００４】
本発明は請求項１では、魚釣り用引き舟の前後方向に延伸する中央ライン又はその近くのラインを含む上下方向の面で切断した縦断面において、引き舟前端部の面取りライン（面取り部輪郭ライン）と引き舟の上面ライン（上面輪郭ライン）との交点を上面先端とし、引き舟を流速が１．０ｍ／ｓの流水に浮かべた場合に、水面が前記上面先端よりも下方に位置し、前部から引き舟上面に水が流れないことを特徴とする魚釣り用引き舟を提供する。
上面先端の決定においては（中央ライン又はその近くのラインとは）、中央ラインによる切断面における上面先端の部位が、その左右領域に比べて、局所的に窪んでいたり突出している場合には、その局所的な部位を避け、そうした局所的部位の無い領域を通るラインによる切断面によることを意味する。
【０００５】
請求項２では、引き舟を静水に浮かべた場合に、前記上面先端と水面との距離が１０ｍｍ以上である請求項１記載の魚釣り用引き舟を提供する。
請求項３では、魚釣り用引き舟の前後方向に延伸する中央ライン又はその近くのラインを含む上下方向の面で切断した縦断面において、引き舟後端部の面取りラインと引き舟の上面ラインとの交点を上面後端とし、引き舟を流速が１．０ｍ／ｓの流水に浮かべた場合に、水面が前記上面後端よりも下方に位置し、引き舟上面に水が流れない請求項１又は２記載の魚釣り用引き舟を提供する。
【０００６】
請求項４では、前記上面ラインか側面視による舟縁ラインが、前後方向の途中位置から前側において、その後方に対して前上がりの傾斜になっている請求項１〜３の何れか１記載の魚釣り用引き舟を提供する。
【０００７】
請求項５では、前記縦断面において、引き舟後端部の面取りラインと前記上面ラインとの交点を上面後端とし、該上面後端と前記上面先端とを結ぶ直線が、引き舟を静水に浮かべた際の水面と２度以上の角度を成すように上面先端側が高い請求項１〜３の何れか１記載の魚釣り用引き舟を提供する。
ここでの縦断面による上面後端の部位が、その左右領域に比べて、局所的に窪んでいたり突出している場合には、上面先端の場合と同様にそうした局所的部位を避け、その近くであって右か左に寄った縦断面によって上面後端を定める。
【０００８】
請求項６では、前記縦断面において、引き舟後端部の面取りラインと前記上面ラインとの交点を上面後端とし、該上面後端と前記上面先端とを結ぶ直線が、引き舟を水平面を有するテーブルに載置した場合に該水平面と２度以上の角度を成すように上面先端側が高い請求項１〜３の何れか１記載の魚釣り用引き舟を提供する。
請求項７では、舟の前部領域の舟縁が外方向に広がっている請求項１〜３の何れか１記載の魚釣り用引き舟を提供する。
【発明の効果】
【０００９】
本発明の請求項１では、実験によれば、前部から引き舟上面に水が流れると相当に水流抵抗負荷が増大することが分った。１．０ｍ／ｓの流れは、鮎釣りにおける代表的な水流速であり、引き舟が最もよく使用される流れといえる。このため、引き舟上面に水が流れないようにするために、上面先端を水面よりも高くなるように舟の重量並びに重量配分と浮力並びに浮力配分を調節している。これにより、釣り人への負荷を相当に軽減できる。
【００１０】
請求項２では、引き舟を静水に浮かべた場合に、上面先端と水面との差が１０ｍｍ以上あれば、通常使用される川の流速の代表値といえる１．０ｍ／ｓでは前部から引き舟の上面に水が流れ込まないで済み、釣り人への負荷が軽減される。
請求項３では、舟の後部寄りから水が上面に乗り上げることが防止され、より抵抗が小さくなる。
【００１１】
請求項４では、上面ラインか側面視による舟縁ラインが前後方向の途中位置から前側において、その後方に対して前上がりの傾斜になっているため、引き舟上面に更に流水を被り難い。
請求項５では、上面先端と上面後端とを結ぶ直線は引き舟上面の代表的な傾斜方向を示し、これが、水面に対して２度以上傾斜して前側が高いため、流水において水が引き舟上面に更に流れ難い。
【００１２】
請求項６は請求項４と同様の狙いであり、上面先端と上面後端とを結ぶ直線が引き舟の底面ともいえる上記の水平面に対して２度以上傾斜して前側を高く構成しているため、流水において水が引き舟上面に更に流れ難い。
請求項７では、舟前部領域の舟縁が外方向に広がっているため、流水から浮力を受け、更に舟先部が浮き上がり易くなり、舟上面に流水を被り難い。
【発明を実施するための最良の形態】
【００１３】
以下、本発明を図面を用いて詳細に説明する。
図１は、本発明に係る引き舟１０の使用形態の模式図であり、釣り人が水流速度がＶである川に入り、引き舟１０の先端部にロープ１２を連結し、ロープ１２の他端部を釣り人の腰に連結し、流れに沿わせて浮かせる。図２はその引き舟の平面図である。舟の周辺部には発泡性部材等の浮力を得るための浮力部材３０が配設されている。中央領域の前半部には蓋１２がヒンジ２０を介して装着されており、ストッパ１８によって蓋を係止している。蓋の中央部には、獲物の魚を入れる投入口が設けられており、左右１対の閉塞体１６によって通常時には塞がれている。舟の上面をＪＭで示しており、前後方向に延伸した仮想の中央ラインをＣＬで示す。引き舟１０の内部は、魚の収納部（図示せず）が形成されており、引き舟を水に浮かせると、魚の収納部に水が流入し、収納した魚を生かしておくことができる。
【００１４】
図３は図２の引き舟の拡大側面図である。中央ラインＣＬを含む垂直面によって舟を切断した場合、上面ＪＭを切断した上面ラインＪＭＬと、引き舟前端部の面取り部（この場合は曲面であるが、平面でもよい。）を切断した面取りラインＭＬとの交点を上面先端Ｐ１とする。同様に、上面ラインＪＭＬと引き舟後端部の面取り部の面取りライン（図示省略）との交点を上面後端Ｐ２とする。本願では、上面ラインＪＭＬは２つの点Ｐ１，Ｐ２を決定するために必要としているのであって、舟の前端部近くと後端部近くを使用するのみであり、前後方向中央部の形状は問題とせず、図２においても中央部は図示していない。
【００１５】
既述の浮力部材３０は、側面図において、船の前部において破線ＨＦから前側に配設されており、上下方向では、破線ＨＵから上側の舟上部に配設されている。
ここで、図８は従来の引き舟１０’を略示的に表わしているが、浮力部材３０は舟の前端から後端に亘って、概ね均等に配設している。もっとも、前端部近くには、その他の領域よりは多目に設けているが、静水面ＳＭに対し、上面ラインＪＭＬがほぼ水平になる（角度αは０度）姿勢で浮くようになっている。この考えを、本発明に係る図２に示す引き舟１０において例えて描けば、２点鎖線ＪＦで示すラインから前側、２点鎖線ラインＪＵから上側に設けられていることになる。このように、本願では、浮力部材３０を舟の前部に従来より多く配設し、後方に行くに従って少なくし、後方部所定位置から後方領域では従来よりも少なくしているといえる。
【００１６】
以上の浮力部材３０は、発泡性の軽量な部材で形成しているが、壁で水密に形成できるならば、この例の部材３０の配設空間を空洞部としてもよい。こうした工夫で舟の先部の浮力がより大きい。再び図２に戻ると、静水に浮かべた引き舟１０は、その上面先端Ｐ１が水面ＳＭよりも充分上方にあり、また、上面後端Ｐ２も水面ＳＭよりも上側に位置している。また、前記上面先端Ｐ１と上面後端Ｐ２とを結んだ直線ＳＫは、水面ＳＭに対して角度αを成し、この角度αは２度以上である。また、この例では、舟底１０Ｓを水平なテーブル面に載置した場合にも、直線ＳＫはその水平なテーブル面に対して２度以上の角度を成す。
【００１７】
このような構造のため、従来の引き舟１０’では、静水面ＳＭは上面ラインＪＭＬと僅かな差ΔＨ（０〜５ｍｍ）がある程度の浮力であったが、本願の引き舟１０では、特に上面先端Ｐ１と静水面ＳＭとの高さの差Ｈは従来よりも充分に大きい。例えば、１０ｍｍ以上である。上面後端Ｐ２も静水面よりも高い位置にある。なお、引き舟１０は図２に示すように、引き舟の前端側領域に舟内部に水を引き入れる換水孔Ｚを設けている。なお、浮かべた引き舟の水面ＳＭは、収納した魚が弱らないように換水孔より上方とするのが好ましい。
【００１８】
図４は本発明（請求項１）に係る他の引き舟１０の略示の側面図である。この場合の上面ラインは前後方向途中位置Ｐ３において図示の如く傾斜に相違がある。また、舟先端部と後端部の面取り部は図示を省略している。上記例と同様に、前端部面取り部ラインと上面ラインＪＭＬ１（＋ＪＭＬ２）との交点を上面先端Ｐ１、後端部面取り部ラインと上面ラインＪＭＬ２（＋ＪＭＬ１）との交点を上面後端Ｐ２とする。点Ｐ１と点Ｐ３とを結ぶ上面ラインＪＭＬ１は、点Ｐ３と点Ｐ２とを結ぶ上面ラインＪＭＬ２に対して前上がりの傾斜になっている。ラインＪＭＬ１はラインＪＭＬ２に対して例えば、１０度の角度βとなっている。上記上面ラインＪＭＬ１，ＪＭＬ２は舟の中央又はその付近のラインに添ったものでよいが、これ以外に、舟縁のラインであってもよい。
【００１９】
最初の例と同様に、浮力部材によって舟の重量と浮力の調節を行っているため、静水面ＳＭよりも上面先端Ｐ１は高さの差Ｈだけ上方に位置して浮かび、また、上面後端Ｐ２も静水面よりも高いが、上面ラインＪＭＬ１がこのように前上がりであるため、更に上面先端Ｐ１が高く浮かび、流水を更に被り難くなる。更にこの例では、２点Ｐ１，Ｐ２を結ぶ直線ＳＫは静水面ＳＭに対して２度以上の角度を有するように上面先端が高くなっている。
【００２０】
図５も本発明（請求項１）に係る他の引き舟１０の略示の側面図である。また、舟先端部と後端部の面取り部は図示を省略している。舳先が突出し、舳先のみならず舟の前部領域の舟縁１０Ａがフランジ状等に外方向に広がっていることが大きな特徴である。最初の例や図４の例と同様に、浮力部材によって舟の重量と浮力の調節を行っているため、静水面ＳＭよりも上面先端Ｐ１は高さの差Ｈだけ上方に位置して浮かび、また、上面後端Ｐ２も静水面よりも高くなる。この例では、フランジ状の舟縁１０Ａの存在により、流水を受けた場合にも、この舟縁下面によって流水から浮力を受けることができ、更に舟上面に流水を被り難くなる。
【００２１】
以下では、引き舟を流水に浮かべて舟の受ける水流抵抗Ｒを測定した。図６はその試験状態を説明する図であり、引き舟１０をロープ１２で曳航して相対的に流速Ｖの流水での抵抗を生ずるようにした。通常の釣りを想定し、曳航点の高さＨ０を５０ｃｍとし、ロープ長さＬを１００ｃｍとした。４つのタイプＰ，Ａ，Ｂ，Ｃの引き舟につき試験した。タイプＰは従来の舟、他Ａ，Ｂ，Ｃは本発明に係る舟である。本発明に係るＡ，Ｂ，Ｃは、従来タイプＰに対する相違として、既述の浮力部材分布の相違以外では、一つにはタイプＰに対して舟の前底部形態を異にし、前底部正面から左右側面に徐々に広がる面を有するハードチャイン型の船底とし、主として左右方向への振れ（ヨーイング）の程度に相違を有する。また、タイプＰに対して、上部構造では、上面ラインＪＭＬが前上がりの傾斜に形成されている。更には、タイプＡ，Ｂ，Ｃ間においては、引き舟の前端側領域に設けた浮力部材の量を、後端側に設けた浮力部材の量に対する割合をＡ，Ｂ，Ｃの順に増加させている。
【００２２】
下記表には各種流速Ｖ（ｍ／ｓ）に対する水流抵抗値Ｒ（Ｎ）を、夫々のタイプ毎に記載している。
水流抵抗値Ｒ
流速Ｖ              Ｐ            Ａ            Ｂ            Ｃ
０．１          ０．２３      ０．３４      ０．２９      ０．２９
０．２          ０．３０      ０．３７      ０．３５      ０．３５
０．３          ０．４５      ０．４８      ０．４５      ０．４８
０．４          ０．６６      ０．７７      ０．６０      ０．７１
０．５          １．０９      １．２３      ０．８２      １．１３
０．６          １．８４      １．５１      １．２５      １．４７
０．７          ３．６４      ２．２０      １．９６      ２．３３
０．８          ４．４９      ３．５４      ３．１８      ３．５３
０．９          ５．６６      ４．８４      ４．２５      ４．７３
１．０          ７．２７      ６．２７      ５．５０      ６．０９
１．１        １０．９        ８．９８      ７．６３      ８．３４
【００２３】
図７は上記試験結果をグラフにしたものである。従来タイプＰのグラフを見ると流速Ｖが０．６から０．７ｍ／ｓの所で抵抗Ｒが急上昇している。試験の観察では、０．７ｍ／ｓの際に舟の上面に水が流れるようになり、このため抵抗が急増大した。これに対して、本発明に係るタイプＡ，Ｂ，Ｃでは、各相違に基づいて抵抗値は異なるものの、流速が１．１ｍ／ｓまでの範囲では何れも上面先端が水面よりも高い位置にあり、前端部から舟上面に水が流れることはなく、このため、従来タイプＰに比べて抵抗の小さいことが判った。しかし、タイプＣでは、実験の全てにおいて、上面後端が水面下にあって、引き舟の後端部近くが水面下にあったため、前端側領域に設けた浮力部材の割合が最も多い割りには、抵抗が小さくならず、タイプＢが最も抵抗が小さいという結果となった。こうしたタイプ毎の相違はあるものの、従来タイプＰのグラフにおいて分かるように、舟の上面に水が流れるようになった際の抵抗増大の割合が目立って大きく、それのない本願発明タイプ（
水が前部から舟の上面を流れないようにすること）が、釣り人への負荷を大きく低減できることが判明し、本発明の効果を実証できた。
【００２４】
また、図３で示す静水面ＳＭと上面先端Ｐ１との差Ｈは、各タイプＡ，Ｂ，Ｃにおいて、夫々、１０，２０，３０ｍｍであり、全て１０ｍｍ以上である。更には、直線ＳＫの水面ＳＭに対する角度αは、タイプＡ，Ｂ，Ｃにおいて、夫々、２度、４度、６度であり、全て２度以上である。
【産業上の利用可能性】
【００２５】
本発明は、鮎釣りの際に使用する引き舟に利用できる。
【図面の簡単な説明】
【００２６】
【図１】図１は引き舟の使用形態を示す模式図である。
【図２】図２は本発明に係る引き舟の平面図である。
【図３】図３は図２の引き舟の拡大側面図である。
【図４】図４は本発明に係る他の形態例の引き舟側面図である。
【図５】図５は本発明に係る更に他の形態例の引き舟側面図である。
【図６】図６は試験状態を模式的に示す図である。
【図７】図７は本発明の効果を実証する試験結果のグラフである。
【図８】図８は従来タイプの引き舟の略示図である。
【符号の説明】
【００２７】
１０                        引き舟
３０                        浮力部材
ＣＬ                        中央ライン
ＪＭ                        舟の上面
ＪＭＬ                      上面ライン
Ｐ１                        上面先端
Ｐ２                        上面後端
ＳＫ                        上面先端と上面後端を結ぶ直線
ＳＭ                        静水面
【図１】
2005210983.tif 000003
【図２】
2005210983.tif 000004
【図３】
2005210983.tif 000005
【図４】
2005210983.tif 000006
【図５】
2005210983.tif 000007
【図６】
2005210983.tif 000008
【図７】
2005210983.tif 000009
【図８】
2005210983.tif 000010